(57)【要約】      （修正有）【課題】宿根野菜類、主にアスパラガスなどは畑畝に定植されると１５年間位寿命が尽きるまで根株や根群の生育する培地内の環境は変わる事なく根株周囲環境が年々締まってくるため培地の浸透性が悪くなり、作物の産出量が増すことによる肥料も多く必要になって来る。アスパラガス等の栽培方法を改善する栽培方法を提供する。【解決手段】アスパラガス等、宿根野菜を植える際には、高さ６０ｃｍ位の囲い枠１を設け、その枠内に囲い枠１上端面より１５ｃｍ低い、根株保持円柱３を設置する。次に稲わら、もみがら等、腐食性有機物を多く含んだ培地５を前記円柱３面と同高さ分、囲い枠１内に投込みする。次にアスパラガスの根株４を根株保持円柱３上面にバランスよく乗せる。次に前記培地５を囲い枠１上端面まで満たす事で根株保持円柱３上の根株４を植え込む。【選択図】図１
2011087564.tif 000002
【特許請求の範囲】
【請求項１】
宿根野菜類，主にアスパラガスの栽培において添付図１に示す様に畑土面より一定の高さを有する囲い枠を設置し、この囲い枠上面高さより栽培する、宿根野菜の根株厚さ分だけ低い高さの根株保持円柱を囲い枠内に設置し、この根株保持円柱上面に根株を乗せた後、もみ殻、稲わら、ぴーともす等の腐食性有機物を多く含んだ培地を囲い枠上面まで満たす事で根株保持円柱上の根株を植え込んだ後、時が過ぎ微生物の働きにより稲わら等分解消滅し、減少した囲い枠内の培地体積分を順次、囲い枠上面より補充しながら培地量を囲い枠上面レベルに維持しながら主にアスパラガスを栽培する事を特徴とする宿根野菜栽培法
【発明の詳細な説明】
【技術分野】
【０００１】本発明はアスパラガスに代表される宿根野菜において従来は畑畝に定植された後アスパラガスにおいては１５年間位寿命が尽きるまで培地内環境が変わる事なく根を培地［培地とは土、砂もありもみ殻、ピートモスでも成り得るし、水耕栽培においては肥料成分を溶かした溶液中の綿菓子状人造鉱物繊維−ロックウールー等で根が生育出来る物の総称］に伸ばして作物を産出しているがこの培地を根株の位置動かす事  無く少しづつ補充して新しい培地に変えて行く栽培方法に関するものである
【背景技術】
【０００２】トマト、芋等農作物は畑土に元肥と称される肥料を施し耕した後畝を立て植えて本体を育てながら  実を収穫するが実が成る頃には元肥は使い切られ薄くなり無くなってしまう為追肥と称される肥料を畝上面に数回に分けて施し収穫へと導かれるのであるがアスパラガス等宿根野菜は最初植え付けの時は培地に元肥を施用出来るけれど以後は畝面上から肥料をまくだけの追肥の型での施肥法で育てて行く事となるがアスパラガスは畝に植えると年々成長し株を大きくし根量を増して行くけれどそれに伴い周囲の培地を圧迫し、培地は相対的に締まっていき硬く成って行く為畝上に施す追肥の浸透性もだんだん悪くなり畝畑面から地面へと伝って流出し失われる割合が増していくのが従来例の栽培方法であった
【発明の開示】
【発明が解決しようとする課題】
【０００３】本発明はこのような株が成長し収穫物を多く生産出来る様になるにつれて培地内の生育環境が悪くなり、肥料の効きも効かせ方も難しくなって来る不都合を解決する為の画期的な栽培方法を提案するものである。
【課題を解決する為の手段】
【０００４】添付図面を参照して本発明の要旨を説明すると栽培する宿根野菜の種類により囲い枠１の高さは異なるがアスパラガスを例とすれば囲い枠１を高さ６０ｃｍ位とし、内側に厚手の農用ビニール又は薄手の樹脂板等の仕切り板２を配置する。囲い枠１中央に５０ｃｍ間隔で根株保持円柱３上面が囲い枠１上端面より１５ｃｍ低くなる様に配置する。
次にもみ殻又は稲わら、もみ殻、土を等割合で混ぜた物又はピートモス等微生物に分解され最後はなくなりーかさー｛体積｝  が減る腐食成分を多く含んだ培地５を根株保持円柱３と同等高さまで投入する。根株保持円柱３上面にアスパラガスの根株４本体をバランス良く乗せ、根群を放射状に根株保持円柱周囲の培地上に広げる。次に腐食成分を多く含んだ培地を囲い枠上端面まで投入し根株を植え込む事を特徴とする栽培方法に係るものである。
【発明の効果】
【０００５】本発明は上述の様に構成したから微生物の働きで少しずつ培地のーかさー｛体積｝が減る為、従来の様に根株が成長するにつれて相対的に周囲より圧迫される事もなく仕切り板と高さを有する培地層により囲い枠上面にパラット施した肥料は雨、露で溶け培地下端に行くまでに途中培地層に程よく吸着され、根群に消費される事となり従来例の如く流出し失われる事も無く、順次減ったぶんの培地量を補充する事で根は上から順番に新しく新鮮な培地に接する事が出来る極めて実用性に優れた画期的な栽培方法となる
【発明を実施するための最良の形態】
【０００６】好適と考える本発明の実施形態｛発明をどのように実施するか｝を図面に基づいて本発明の作用を、示して簡単に説明すると使用斜視例図中の囲い枠…１内に等間隔に設置した根株保持円柱…３上面と同高さに腐食性に富んだ有機物を多く含んだ培地を投込後、根株保持円柱上面に根株…４を乗せた後囲い枠上端まで上記培地を入れ根株保持円柱上の根株を植え込む型とする。時が進むと微生物の働きで培地内の腐食性有機物は消滅し囲い枠内培地の“かさ”（体積）は減り、囲い枠内の培地面は下がるけれど根株は根株保持円柱上に乗っかかり支持されている為、周囲培地は下がっても根株位置はそのままであり、培地が下がって行く分、順次新しい培地を補充していくことにより根株及び、根群は新しい培地と接する事が可能となり、良好な新陳代謝が行われ、良好な生育が可能となる。
【実施例】
【０００７】本発明の具体的な実施例について図面に基づいて説明する。図１は囲い枠中央に根株保持円柱を等間隔１条植えとした場合の実施例であるが、作物に応じて図２の様に囲い枠内に根株保持円柱を千鳥足型２条植え配置とする事も可能であるし、アスパラガスの様に株が大きくなり１株、数ｋｇに及ぶ作物は１株毎に根株保持を施用しなければならないが、そうでない作物については図３の様に囲い枠内の所々にパイプを差し込み、パイプ上端穴にＳ字型フックの一端をかけ、片方の丸部に長いパイプを乗せ、このパイプ上に程よく株を乗せ用いる事も根株保持円柱を省略出来る効率的な方法もある。
【図面の簡単な説明】
【０００８】
【図１】本発明の囲い枠内で根株保持円柱１条植え配置とした場合の使用斜視例図
【図２】本発明で囲い枠内の根株保持円柱を千鳥足型２条植え配置とした場合の例図
【図３】本発明で囲い枠内に根株保持円柱の変わりに一本物の横パイプを用いる場合の例図
【符号の説明】
【０００９】１…囲い枠  ２…仕切り板  ３…根株保持円柱  ４…根株  ５…培地
【図１】
2011087564.tif 000003
【図２】
2011087564.tif 000004
【図３】
2011087564.tif 000005
【手続補正書】
【提出日】平成21年12月14日(2009.12.14)
【手続補正１】
【補正対象書類名】明細書
【補正対象項目名】全文
【補正方法】変更
【補正の内容】
【発明の詳細な説明】
【技術分野】
【０００１】本発明はアスパラガスに代表される宿根野菜において従来は畑畝に定植された後アスパラガスにおいては１５年間位寿命が尽きるまで変る事のない培地内環境に根を伸ばして作物を産出しているけれどこの培地［培地とは土でもあり砂でもあり  籾殻、ピートモス、稲わらの混合物等でも成り得るし、水耕栽培においては肥料成分を溶かした溶液中の綿菓子状人造鉱物繊維＝ロックウール＝等で根が生育出来る物の総称］を少しづつ補充する事により根株の培地内環境を更新し根株の周囲培地を根株の位置  動かす事なく  新しい培地に順次変えて行く栽培方法に関するものである。
【背景技術】
【０００２】トマト、芋等農作物は畑上に元肥と称される肥料を施し耕した後畝を立て植えて本体を育てながら  実を収穫するが実が成る頃には元肥は使い切られ薄くなり無くなってしまう為追肥と称される肥料を畝上面に数回に分けて施し収穫へと導かれるのであるがアスパラガス等宿根野菜は最初植え付けの時は培地に元肥を施用出来るけれど以後は畝面上から肥料をまくだけの追肥の型での施肥法で育てて行く事となるがアスパラガスは畝に植えると年々成長し株を大きくし根量を増して行くけれどそれに伴い周囲の培地を圧迫し、培地は相対的に締まっていき硬く成って行く為畝上に施す追肥の浸透性もだんだん悪くなり畝畑面から地面へと伝って流出し失われる割合が増していくのが従来例の栽培方法であった
【発明の開示】
【発明が解決しようとする課題】
【０００３】本発明はこのような株が成長し収穫物を多く生産出来る様になるにつれて培地内の生育環境が悪くなり、肥料の効きも効かせ方も難しくなって来る不都合を解決する為の画期的な栽培方法を提案するものである。
【課題を解決する為の手段】
【０００４】添付図面を参照して本発明の要旨を説明すると栽培する宿根野菜の種類により囲い枠１の高さは異なるがアスパラガスを例とすれば囲い枠１を高さ６０ｃｍ位とし、内側に厚手の農用ビニール又は薄手の樹脂板等の仕切り板２を配置する。囲い枠１中央に５０ｃｍ間隔で根株保持円柱３上面が囲い枠１上端面より１５ｃｍ低くなる様に配置する。次にもみ殻又は稲わら、もみ殻、土を等割合で混ぜた物又はピートモス等微生物に分解され最後はなくなりーかさー｛体積｝が減る腐食成分を多く含んだ培地５を根株保持円柱３と同等高さまで投入する。根株保持円柱３上面にアスパラガスの根株４本体をバランス良く乗せ、根群を放射状に根株保持円柱周囲の培地上に広げる。次に腐食成分を多く含んだ培地を囲い枠上端面まで投入し根株を植え込む事を特徴とする栽培方法に係るものである。
【発明の効果】
【０００５】本発明は上述の様に構成したから微生物の働きで少しずつ培地のーかさー｛体積｝が減る為、従来の様に根株が成長するにつれて相対的に周囲より圧迫される事もなく仕切り板と高さを有する培地層により囲い枠上面にパラット施した肥料は雨、露で溶け培地下端に行くまでに途中培地層に程よく吸着され、根群に消費される事となり従来例の如く流出し失われる事も無く、順次減ったぶんの培地量を補充する事で根は上から順番に新しく新鮮な培地に接する事が出来る極めて実用性に優れた画期的な栽培方法となる
【発明を実施するための最良の形態】
【０００６】好適と考える本発明の実施形態｛発明をどのように実施するか｝を図面に基づいて本発明の作用を、示して簡単に説明すると使用斜視例図中の囲い枠…１内に等間隔に設置した根株保持円柱…３上面と同高さに腐食性に富んだ有機物を多く含んだ培地を投込後、根株保持円柱上面に根株…４を乗せた後囲い枠上端まで上記培地を入れ根株保持円柱上の根株を植え込む型とする。時が進むと微生物の働きで培地内の腐食性有機物は消滅し囲い枠内培地の“かさ”（体積）は減り、囲い枠内の培地面は下がるけれど根株は根株保持円柱上に乗っかかり支持されている為、周囲培地は下がっても根株位置はそのままであり、培地が下がって行く分、順次新しい培地を補充していくことにより根株及び、根群は新しい培地と接する事が可能となり、良好な新陳代謝が行われ、良好な生育が可能となる。
【実施例】
【０００７】本発明の具体的な実施例について図面に基づいて説明する。図１は囲い枠中央に根株保持円柱を等間隔１条植えとした場合の実施例であるが、作物に応じて図２の様に囲い枠内に根株保持円柱を千鳥足型２条植え配置とする事も可能であるし、アスパラガスの様に株が大きくなり１株、数ｋｇに及ぶ作物は１株毎に根株保持円柱を施用しなければならないが、そうでない作物については図３の様に囲い枠内の所々にパイプを差し込み、パイプ上端穴にＳ字型フックの一端をかけ、片方の丸部に長いパイプを乗せ、このパイプ上に程よく株を乗せ用いる事も根株保持円柱を省略出来る効率的な方法もある。また株間を狭くこまかく作物を植える場合については図４に示す様に根株保持円柱の変わりとして囲い枠内に畑土を必要長さ｛頂を少し平らにして｝盛り、この頂に根株をのせた後腐食性有機物を多く含んだ培地を囲い枠上端面まで満たす方法もある。
【図面の簡単な説明】
【０００８】
【図１】本発明の囲い枠内で根株保持円柱１条植え配置とした場合の使用斜視例図
【図２】本発明で囲い枠内の根株保持円柱を千鳥足型２条植え配置とした場合の例図
【図３】本発明で囲い枠内に根株保持円柱の変わりに一本物の横パイプを用いる場合の例図
【図４】本発明で囲い枠内に根株保持円柱の変わりに畑土を盛り、頂に根株を置く場合の例図。
【符号の説明】
【０００９】１…囲い枠  ２…仕切り板  ３…根株保持円柱  ４…根株  ５…培地  ６・・畑土
【手続補正２】
【補正対象書類名】図面
【補正対象項目名】図４
【補正方法】追加
【補正の内容】
【図４】
2011087564.tif 000006
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
アスパラガス等の宿根野菜類の栽培方法において、畑土面より一定の高さを有する囲い枠を設置し、この囲い枠内に、栽培する宿根野菜類の根株の厚さ分だけ囲い枠上面高さより低い高さに円柱状の根株保持体を設置し、この根株保持体上面に宿根野菜類の根株を乗せた後、もみ殻，稲わら，ピートモス等の腐食性有機物を多く含んだ培地を囲い枠上面まで満たす事で根株保持体上の根株を植え込んだ後、時が過ぎ微生物の働きにより腐食性有機物が分解消滅して囲い枠内の培地の体積が減少したら、減少した体積分の培地を順次囲い枠上面より補充して培地量を囲い枠上面レベルに維持しながら宿根野菜類を栽培する事を特徴とする宿根野菜類の栽培方法。
【手続補正２】
【補正対象書類名】明細書
【補正対象項目名】全文
【補正方法】変更
【補正の内容】
【発明の詳細な説明】
【技術分野】
【０００１】
本発明は、アスパラガスに代表される宿根野菜類の栽培方法に関するものである。
【背景技術】
【０００２】
トマト、芋等の農作物は、畑土に元肥と称される肥料を施し耕した後畝を立て、畝に植えて本体を育てながら実を収穫するが、実が成る頃には元肥は使い切られ薄くなり無くなってしまう為、追肥と称される肥料を畝上面に数回に分けて施し収穫へと導かれる。
【０００３】
一方、アスパラガスは、畑畝に定植されると１５年間位寿命が尽きるまで変わる事のない培地内環境に根を伸ばして作物を産出している。このアスパラガス等の宿根野菜類は、最初の植え付けの時は培地に元肥を施用出来るが、以後は畝面上から肥料をまくだけの追肥の型での施肥法で育てて行く事になる。しかし、アスパラガスは、畝に植えると年々成長し株を大きくし根量を増やしていくのでそれに伴い周囲の培地を圧迫し、培地は相対的に締まっていき硬く成って行く為、畝上に施す追肥の浸透性もだんだん悪くなり畝畑面から地面へと伝わって流出し失われる割合が増していく。即ち、作物の産出量が増して来て肥料も多く必要になって来るのに、現状は反対に畝畑面から肥料が流出し失われてしまっているのが従来例の栽培方法であった。
【発明の概要】
【発明が解決しようとする課題】
【０００４】
本発明は、このような宿根野菜類の株が成長し収穫物を多く生産出来る様になるにつれて培地内の生育環境が悪くなり、肥料の効きも効かせ方も難しくなって来る不都合を解決する為の画期的な栽培方法を提案するものである。
【課題を解決するための手段】
【０００５】
添付図面を参照して本発明の要旨を説明する。
【０００６】
アスパラガス等の宿根野菜類の栽培方法において、畑土面より一定の高さを有する囲い枠１を設置し、この囲い枠１内に、栽培する宿根野菜類の根株４の厚さ分だけ囲い枠１上面高さより低い高さに円柱状の根株保持体３を設置し、この根株保持体３上面に宿根野菜類の根株４を乗せた後、もみ殻，稲わら，ピートモス等の腐食性有機物を多く含んだ培地５を囲い枠１上面まで満たす事で根株保持体３上の根株４を植え込んだ後、時が過ぎ微生物の働きにより腐食性有機物が分解消滅して囲い枠１内の培地５の体積が減少したら、減少した体積分の培地５を順次囲い枠１上面より補充して培地５量を囲い枠上１面レベルに維持しながら宿根野菜類を栽培する事を特徴とする宿根野菜類の栽培方法に係るものである。
【発明の効果】
【０００７】
本発明は上述の様に構成したから、囲い枠内に満たした培地は、微生物の働きで少しずつかさ（体積）が減る為、従来の様に根株が成長するにつれて相対的に周囲より圧迫される事もなく、また培地層に囲い枠上面よりパラッと施した肥料は、雨，露で溶け培地下端に行くまでに途中培地層に程よく吸収され、根群に消費される事となり、従来例の如く流出し失われる事も無く、順次減った分の培地量を補充する事で根は上から順番に新しく新鮮な培地に接する事が出来るので、良好な生育が可能となる極めて実用性に優れた画期的な栽培方法となる。
【図面の簡単な説明】
【０００８】
【図１】本実施例を示す、囲い枠内で根株保持体を一条植え配置とした場合の斜視図である。
【図２】本実施例を示す、囲い枠内の根株保持体を千鳥足型に二条植え配置とした場合の斜視図である。
【図３】本実施例を示す、囲い枠内に一本物の横パイプ（根株保持体）を用いる場合の斜視図である。
【発明を実施するための形態】
【０００９】
好適と考える本発明の実施形態を、図面に基づいて本発明の作用を、示して簡単に説明する。
【００１０】
図１に示すように、畑土面より一定の高さを有する囲い枠１を設置し、この囲い枠１内に円柱状の根株保持体３を等間隔に配置し、この囲い枠１内に根株保持体３上面と同高さに腐食性に富んだ有機物を多く含んだ培地５を投込する。次に、根株保持体３上面に宿根野菜類の根株４を乗せた後、囲い枠１上端まで上記培地５を入れ、根株保持体３上の根株４を植え込む型とする。時が進むと微生物の働きで培地５内の腐食性有機物は消滅し、囲い枠１内の培地５のかさ（体積）は減り、囲い枠１内の培地５面は下がるが、根株４は根株保持体３上に乗っかかり支持されている為、周囲培地５は下がっても根株４位置はそのままであり、培地５が下がって行く分、順次新しい培地５を補充していく事により根株４及び、根群は新しい培地５と接する事が可能となり、良好な新陳代謝が行われ、良好な生育が可能となる。
【実施例】
【００１１】
本発明の具体的な実施例について図面に基づいて説明する。
【００１２】
囲い枠１は、栽培する宿根野菜の種類により高さは異なるが、アスパラガスを例とすれば高さを６０ｃｍ位とし、内側に厚手の農用ビニール又は薄手の樹脂板等の仕切り板２を配置する。
【００１３】
この囲い枠１中央に５０ｃｍ間隔で円柱状の根株保持体３をその上面が囲い枠１上端面より１５ｃｍ低くなる様に配置する。
【００１４】
次に、囲い枠１内に、腐食成分（腐食性有機物）を多く含んだ培地５を根株保持体３と同等高さまで投入する。腐食性有機物を多く含んだ培地５は、もみ殻又は稲わら又はもみ殻と稲わらと土を等割合で混ぜた物又はピートモスを採用する。これらは、微生物に分解され最後はなくなりかさ（体積）が減る。尚、この培地５は、もみ殻と稲わらとピートモスの混合物でも良いし、これらの腐食性有機物を土や砂と混合した物でも良い。
【００１５】
次に、根株保持体３上面にアスパラガスの根株４本体をバランス良く乗せ、根群を放射状に根株保持体３周囲の培地５上に広げる。
【００１６】
次に、腐食成分を多く含んだ培地５を囲い枠１上端面まで投入し根株４を植え込む。
【００１７】
時が進むと微生物の働きで培地５内の腐食性有機物は消滅し、囲い枠１内の培地５のかさ（体積）は減り、囲い枠１内の培地５面は下がるが、根株４は根株保持体３上に乗っかかり支持されている為、周囲培地５は下がっても根株４位置はそのままであり、培地５が下がって行く分、腐食性有機物を多く含んだ培地５を少しずつ補充する事により根株４の培地５内環境を更新し、根株４の周囲培地５を根株４の位置を動かす事なく、新しい培地５に順次変えて行く。これにより、根株４及び、根群は新しい培地５と接する事が可能となり、良好な新陳代謝が行われ、良好な生育が可能となる。
【００１８】
図１は、囲い枠１中央に根株保持体３を等間隔一条植えとした場合の実施例であるが、作物に応じて図２の様に囲い枠１内に根株保持体３を千鳥足型に二条植え配置とする事も可能であるし、アスパラガスの様に株が大きくなり一株数ｋｇに及ぶ作物は、一株毎に根株保持体３を施用しなければならないが、そうでない作物については、図３の様に囲い枠１内の所々にパイプを差し込み、パイプ上端穴にＳ字型フックの一端をかけ、片方の丸部に長い横パイプを乗せ、この横パイプを根株保持体３としてこの根株保持体３上に程よく根株４を乗せ用いる方法もある。
【符号の説明】
【００１９】
１  囲い枠
２  仕切り板
３  根株保持体
４  根株
５  培地
【手続補正４】
【補正対象書類名】図面
【補正対象項目名】図４
【補正方法】削除
【補正の内容】